(57)【要約】【課題】入金残高が残ったままの記録媒体を誤って記録媒体発行装置に収納した場合であっても、その記録媒体を遊技者に発行してしまうことのない遊技場用システムを提供する。【解決手段】島端計数装置６は、発行装置２１のリーダライタ４６に繰出された一般カード４４に入金残高或いは持玉が記録されている場合はエラー画面を表示することにより異常を報知する。これにより、入金残高或いは持玉が記録されている一般カード４４に計数情報を誤って記録し発行してしまうことを未然に防止することができる。【選択図】図６
2015154899.tif 000002
【特許請求の範囲】
【請求項１】
遊技媒体を貸出すために投入した貨幣の残高を示す残高情報、及び遊技者が獲得した遊技媒体の計数結果を示す計数情報を記録可能な記録媒体と、
遊技機に付設され、貨幣又は前記記録媒体が投入されたときに、当該貨幣の金額又は当該記録媒体に記録されている残高情報が示す残高の範囲内で遊技に使用する遊技媒体を貸出すと共に、遊技者の発行換作に応じて前記残高情報を記録した記録媒体を発行する貸出装置と、
遊技者が獲得した遊技媒体を受入れて計数し、その計数結果を出力する遊技媒体計数装置と、
前記記録媒体を投入する投入口、及び複数の記録媒体を収納可能なストック部を有し、当該投入口から投入された記録媒体、又は当該ストック部から繰出した記録媒体に対して前記計数情報を記録し発行する記録媒体発行装置と、
前記記録媒体に記録された計数情報を読出し、当該計数情報に基づいて景品の交換処理を実行する景品交換装置と、
前記記録媒体に記録された残高情報を読出し、当該残額情報が示す残高分の貨幣を払い出す精算装置と、を備えた遊技場用システムにおいて、
前記記録媒体発行装置は、前記投入口から記録媒体が投入されたときには、当該記録媒体に前記残高情報が記録されているか否かにかかわらず前記計数情報を記録して発行し、前記ストック部から記録媒体を繰出したときには、当該記録媒体に前記残高情報が記録されているか否かを判定し、当該残高情報が記録されていない場合には前記計数情報を記録して発行する一方、前記残高情報が記録されている場合には異常が発生した旨の報知を行うことを特徴とする遊技場用システム。
【請求項２】
前記記録媒体発行装置は、前記異常が発生した旨を報知したときには、所定の解除操作に応じて前記記録媒体を排出すると共に、前記ストック部から次の記録媒体を繰出すことを特徴とする請求項１記載の遊技場用システム。
【発明の詳細な説明】
【技術分野】
【０００１】
本発明は、ストックされている記録媒体を繰出して計数情報を記録し発行する記録媒体発行装置を備えた遊技場用システムに関する。
【背景技術】
【０００２】
従来、例えば特許文献１に記載されているように、入金残高と計数玉数とをカードに記録し、遊技を終了する際に残高を払戻すと共に計数玉数を景品交換するシステムが運用されている。
【先行技術文献】
【特許文献】
【０００３】
【特許文献１】特開２０１０−１５８２９６号公報
【発明の概要】
【発明が解決しようとする課題】
【０００４】
上記システムの場合、残高の払戻処理は残高精算装置で行い、景品交換処理は景品カウンタに設置される景品交換装置で行うのが一般的となっており、帰る際には忘れずに上記２つの処理を行う必要がある。
しかしながら、例えば先に景品交換装置で景品交換処理を行ったときに、従業員と遊技者の双方がまだ入金残高が残っていることを失念してしまい、カードを遊技者に返却することなく回収してしまうことがあった。そのような場合、入金残高が残っているカードが再度カード発行装置のストック部に収納され、全く関係の無い別の遊技者に対してそのカードを発行してしまうことになる。
【０００５】
本発明は上記事情に鑑みてなされたもので、その目的は、入金残高が残ったままの記録媒体を誤って記録媒体発行装置に収納した場合であっても、その記録媒体を遊技者に発行してしまうことのない遊技場用システムを提供することにある。
【課題を解決するための手段】
【０００６】
本発明は、遊技媒体を貸出すために投入した貨幣の残高を示す残高情報、及び遊技者が獲得した遊技媒体の計数結果を示す計数情報を記録可能な記録媒体と、遊技機に付設され、貨幣又は前記記録媒体が投入されたときに、当該貨幣の金額又は当該記録媒体に記録されている残高情報が示す残高の範囲内で遊技に使用する遊技媒体を貸出すと共に、遊技者の発行換作に応じて前記残高情報を記録した記録媒体を発行する貸出装置と、遊技者が獲得した遊技媒体を受入れて計数し、その計数結果を出力する遊技媒体計数装置と、前記記録媒体を投入する投入口、及び複数の記録媒体を収納可能なストック部を有し、当該投入口から投入された記録媒体、又は当該ストック部から繰出した記録媒体に対して前記計数情報を記録し発行する記録媒体発行装置と、前記記録媒体に記録された計数情報を読出し、当該計数情報に基づいて景品の交換処理を実行する景品交換装置と、前記記録媒体に記録された残高情報を読出し、当該残額情報が示す残高分の貨幣を払い出す精算装置と、を備えた遊技場用システムにおいて、
前記記録媒体発行装置は、前記投入口から記録媒体が投入されたときには、当該記録媒体に前記残高情報が記録されているか否かにかかわらず前記計数情報を記録して発行し、前記ストック部から記録媒体を繰出したときには、当該記録媒体に前記残高情報が記録されているか否かを判定し、当該残高情報が記録されていない場合には前記計数情報を記録して発行する一方、前記残高情報が記録されている場合には異常が発生した旨の報知を行うものである（請求項１）。
【０００７】
請求項１記載の遊技場用システムにおいて、
前記記録媒体発行装置は、前記異常が発生した旨を報知したときには、所定の解除操作に応じて前記記録媒体を排出すると共に、前記ストック部から次の記録媒体を繰出すようにしてもよい（請求項２）。
【発明の効果】
【０００８】
請求項１の発明によれば、記録媒体発行装置は、ストック部から新たな記録媒体を繰出したときには、その記録媒体に残高情報が記録されているか否かを判定し、残高情報が記録されている場合には異常が発生した旨を報知するので、その記録媒体に誤って計数情報を記録し発行してしまうことがない。
【０００９】
請求項２の発明によれば、異常が報知されたときには、従業員が所定の解除操作を行って、異常な記録媒体の排出処理と次の記録媒体の繰出処理とを記録媒体発行装置に行わせるようにしたので、従業員が記録媒体発行装置を一々開放して異常な記録媒体を回収する必要が無く利便性に優れている。
【図面の簡単な説明】
【００１０】
【図１】本発明の一実施形態における遊技場用管理システムの全体構成を概略的に示す図
【図２】スライドカバーを開放して示す島端計数装置の外観斜視図
【図３】スライドカバーを閉鎖して示す島端計数装置の外観斜視図
【図４】カバーを閉鎖して示す発行装置の斜視図
【図５】カバーを開放して示す発行装置の斜視図
【図６】島端計数装置及び発行装置の構成を示す機能ブロック図
【図７】一般カードの新規発行を説明するための図
【図８】一般カードの書換発行を説明するための図
【図９】一般カードの書換回収を説明するための図
【図１０】一般カード不足表示の待機画面を示す図
【図１１】一般カード満杯表示の待機画面を示す図
【図１２】エラー画面を示す図
【発明を実施するための形態】
【００１１】
以下、本発明の一実施形態について、図面を参照して説明する。
図１は、遊技場用システムの全体構成を概略的に示している。遊技場には、複数の遊技機島１が設けられ、各遊技機島１に複数の遊技機（パチンコ機、スロットマシン）２が設置されている。遊技機２毎に貸出装置３が設置されており、それら複数の遊技機２及び複数の貸出装置３は、ＬＡＮ４を介して中継装置５に接続されている。ＬＡＮ４には島端計数装置６（遊技媒体計数装置に相当）及び呼出ランプ７も接続されている。呼出ランプ７は遊技機島１の端部に設置されており、島端計数装置６にて従業員の呼出操作がされたときに点灯して従業員を呼び出す。中継装置５は、ＬＡＮ８を介して管理装置９、景品交換装置１０、精算装置１１等に接続されている。
【００１２】
管理装置９は、遊技場内の例えば事務室等に設置され、ＣＰＵ、ＲＯＭ、ＲＡＭ、ＨＤＤ、Ｉ／Ｏを有する制御部、各種信号を送受信する送受信部、モニタ及びプリンタ等からなる出力部等を備えて構成されている。管理装置９は、遊技機島１に設置されている遊技機２や貸出装置３、島端計数装置６、景品交換装置１０、精算装置１１等との間で各種信号を送受信することで、周知の出玉率等の遊技情報を集計したり、各種機器の稼働状況を管理したり、遊技機側からの信号に基づいて遊技者毎の遊技価値（持玉数・貯玉数）と入金残高とを記憶管理したりする。尚、持玉とは当日中に計数した玉であり、貯玉とは前日以前に計数した玉である。
【００１３】
図１で示す遊技機２はＣＲ（カードリーダ）パチンコ機であり、盤面１２に玉を発射する発射装置を構成する操作ハンドル１３、上部受皿１４、下部受皿１５を有すると共に、盤面１２に、液晶表示部１６、始動口１７、大入賞口１８を有する。遊技者が操作ハンドル１３を操作すると、玉（遊技媒体）が盤面１２に発射され、そのパチンコ玉が始動口１７に入賞すると、その入賞に応じた玉数のパチンコ玉を払出したり、大当たり抽選を行ったりする。大当たり抽選では、液晶表示部１６において所謂特別図柄（特図）による図柄変動を実行し、停止表示された図柄が大当たり図柄の場合に大当たりが発生する。大当たりが発生すると、例えば１５ラウンド分だけ大入賞口１８を開放する。
尚、遊技機２は、遊技者による遊技が進行することに応じて、打ち込んだパチンコ玉の玉数である投入媒体数を特定可能なアウト信号、払出されたパチンコ玉の玉数である払出媒体数を特定可能なセーフ信号、大当たり状態を特定可能な大当たり信号等の各種の遊技信号を出力する。
【００１４】
遊技機島１において遊技機２毎に設置されている貸出装置３は、紙幣（千円）を投入する紙幣投入口１９を有する所謂ＣＲユニットであり、ＣＰＵ、ＲＯＭ、ＲＡＭ、Ｉ／Ｏを有する制御部、各種信号を送受信する送受信部等を備えて構成されている。貸出装置３は、遊技者により紙幣投入口１９に投入された貨幣の金額（上限１万円）を記憶し、遊技機２に設けられている図示しない貸出ボタンが操作されると、払出単位の玉数（例えば１２５玉）のパチンコ玉が遊技機２の払出機構から払出される。尚、貸出装置３には後述する一般カードを１０枚収納可能であり、発行操作により一般カードに入金残高を記録してカード排出口２０から発行する。また、会員カードが挿入されている場合は、会員カードに入金残高を記録すると共に入金残高を管理装置９にも送信して管理する。
【００１５】
島端計数装置６は、遊技機島１に設置されている遊技機２で獲得したパチンコ玉を計数するための機器であり、遊技場内の遊技機島１の島端に設置される。つまり、遊技者は獲得した玉を玉箱に収納し、島端計数装置６まで運んで計数する必要がある。島端計数装置６にはカード発行装置２１が接続されており、そのカード発行装置２１により島端計数装置６はカード発行機能を備えて構成されている。
【００１６】
図２は、島端計数装置６の外観斜視図を示している。島端計数装置６は、本体２２の上面に陥没形状に設けられ、遊技者が遊技により獲得した玉（獲得媒体）を受入れる投入口２３ａ及び当該投入口２３ａの中央に形成された放出口２３ｂを備えた投入容器２３、この投入容器２３の投入口２３ａを開放・閉鎖するスライドカバー２４（図２はスライドカバー２４が投入口２３ａを開放する開放位置にスライド移動されている状態を示し、図３はスライドカバー２４が投入口２３ａを閉鎖する閉鎖位置にスライド移動されている状態を示す）、計数情報等の各種情報を表示する表示機能及び従業員や遊技者からの操作入力を受付ける入力受付機能を有するタッチパネル式の液晶表示部２５、島端計数装置６の状態を示すためのＬＥＤ表示部２６、計数値及び当該計数値を記録した２次元コードやバーコード等が印字されたレシート２７（図６参照）を発行するレシート発行口２８、会員カード２９（図６参照）を受付ける会員カード受付口３０、従業員が所持する従業員ＩＣカード３１（図６参照）が翳されている状態で当該従業員ＩＣカード３１に内蔵されているＩＣチップ３１ａに記憶されている従業員情報を読取る従業員カードリーダ３２、本体２２の前面に設けられて余り玉を放出する玉返却口３３、緊急時にスライドカバー２４を開閉するためのスライドカバー開閉キー３４（図２はカバーで閉鎖されている状態を示している）等を備えて構成されている。
【００１７】
島端計数装置６は、会員カード受付口３０に会員カード２９が受付けられるか、従業員が従業員ＩＣカード３１を従業員カードリーダ３２に翳すことで従業員の認証操作が行われ、スライドカバー２４のロックが解除されてスライド移動されることにより投入口２３ａが開放されると、計数可能な状態となる。従業員又は遊技者が玉を投入口２３ａに投入すると、玉は投入口２３ａで一旦受け止められた後、放出口２３ｂから落下して当該放出口２３ｂの奥に設けられている計数センサにより計数される。このように玉を計数中にあるときは計数値を逐一更新する。
【００１８】
島端計数装置６は、受入れた玉を計数し、その計数結果を発行装置２１に送信する。投入口２３ａはロック状態のスライドカバー２４で閉鎖されており、後述するように従業員ＩＤまたは会員ＩＤを読み取ったときにスライドカバー２４のロックを解除して手動で開放可能とする。会員カード２９が挿入されたときは、計数結果を貯玉情報として管理装置９へ送信する。カバーを閉鎖位置に戻すと自動でロックされる。従業員ＩＣカード３１は、従業員を識別可能な従業員データが記録されているメモリを有するＩＣチップ３１ａを内蔵したＩＣカードである。
【００１９】
図４は、島端計数装置６に接続された発行装置２１（記録媒体発行装置に相当）を示す斜視図である。発行装置２１は、本体３５の前端に扇形状のカバー３６を回動可能に装着して構成されている。カバー３６は、当該カバー３６の上面後端に設けられたキーシリンダ３７を開錠して図４に示す閉鎖位置から前方に回動することにより図５に示す開放位置へ開放可能となる。カバー３６の前面にはカード投入口３８及び状態ＬＥＤ３９が設けられている。
【００２０】
図５に示すように、カバー３６を開放位置に回動することによりカバー３６により秘匿されている電源スイッチ４０、カード繰出機構４１、ストック部４２、回収部４３が出現する。ストック部４２には上方から１００枚の一般カード４４（「持玉券」ともいう。記録媒体に相当）を収納可能となっている。回収部４３に収納された一般カード４４の上部には一般カード４４の浮きを防止する押え用おもり４５が装着されている。カード繰出機構４１は、ストック部４２に収納されている最下位の一般カード４４をリーダライタ４６（図６参照）に繰出可能となっていると共にカード投入口３８に挿入された一般カード４４をリーダライタ４６に移送可能となっている。
【００２１】
図６は、島端計数装置６及び発行装置２１の構成を機能ブロック図により示している。島端計数装置６は、ＣＰＵ４７ａ、ＲＯＭ４７ｂ、ＲＡＭ４７ｃ、Ｉ／Ｏ４７ｄを有する制御部４７、液晶表示部２５、当該液晶表示部２５の表面に設けられたタッチパネル４８、計数値を印字したレシート２７をレシート発行口２８から発行するレシート発行部４９、会員カード２９に内蔵されたＩＣチップ２９ａから会員ＩＤを読取る会員カードリーダ５０、従業員カードリーダ３２、ＬＥＤ表示部２６、スライドカバー２４を自動ロックするカバーロック部５１、玉を計数する計数部５２、パチンコ玉を払出す返却部５３、各種信号を管理装置９及び発行装置２１と送受信するＩ／Ｆ部５４等を備えて構成されている。
【００２２】
島端計数装置６は、受入れた遊技媒体（玉、メダル）を計数し、その計数結果を記録した一般カード４４を発行すると同時に、計数結果を計数情報として管理装置９へ送信する。会員カード２９が挿入されたときは、計数結果を貯玉情報として管理装置９へ送信する。
【００２３】
一方、発行装置２１は、ＣＰＵ５５ａ、ＲＯＭ５５ｂ、ＲＡＭ５５ｃ、Ｉ／Ｏ５５ｄを有する制御部５５、ストック部４２、カード繰出機構４１、リーダライタ４６、島端計数装置６と送受信するためのＩ／Ｆ部５６を備えて構成されている。発行装置２１は、島端計数装置６に対して発行操作が行われた場合は、ストック部４２から一枚の一般カード４４をリーダライタ４６へ繰出し、リーダライタ４６に繰出した一般カード４４に内蔵されたＩＣチップ４４ａに入金残高及び持玉数が記録されていないことを確認してから持玉情報を記録して発行する。
尚、発行装置２１は、持玉数及び入金残高がゼロとなった一般カード４４は回収部４３に回収する。
【００２４】
景品交換装置１０は、持玉数が記録されている一般カード４４、又は貯玉口座を特定する会員カードを受付け、持玉数又は貯玉数に基づいた景品交換処理を行う。景品交換処理が終了したときは、持玉数及び入金残高が０の一般カード４４は回収し、何れかが残っている一般カード４４は遊技者へ返却する。
精算装置１１は、入金残高が記録されている一般カード４４又は会員カードを受付け、入金残高分の現金を遊技者に払い出す。持玉数がゼロの一般カードは回収し、持玉数のある一般カード４４及び会員カードは遊技者へ返却する。
【００２５】
次に、上記構成の作用について説明する。
遊技者は、遊技機２から獲得した遊技媒体（玉、メダル）を計数する場合は、遊技媒体を玉箱に収納して島端計数装置６まで運ぶ。そして、遊技者により呼出された従業員が従業員カードを従業員カードリーダ３２に翳して認証を受け、スライドカバー２４のロックを解除したところで、スライドカバー２４を開放して玉箱に収納された遊技媒体を島端計数装置６に投入して計数する。島端計数装置６は、投入された遊技媒体を計数し、計数が終了すると、液晶表示部２５に計数完了画面を表示する。
【００２６】
（１）一般カード４４の新規発行
計数完了画面には、図７（ａ）に示すように精算ボタンである「全部発券」ボタン２５ａが表示されると共に、精算ボタンにタッチすることを促すメッセージ２５ｂが表示される。
遊技者が「全部発券」ボタン２５ａにタッチすると、島端計数装置６は、図７（ｂ）に示すように持玉数を示す利用明細を表示すると共に発行装置２１に持玉情報を送信する。発行装置２１は、持玉情報の受信に応じてストック部４２に収納されている一般カード４４をリーダライタ４６へ繰出し、その一般カード４４に持玉情報を記録して発行する。
【００２７】
また、島端計数装置６は発行装置２１が接続されていない場合、或いは接続されているものの、発行装置２１に一般カード４４が収納されていない場合は、持玉情報が印刷されたレシート２７を発行したり、会員カード２９が挿入されていることを条件として貯玉したりする。尚、一般カード４４を発行するか、レシート２７を発行するかを遊技者が任意に選択できるようにしてもよい。
【００２８】
（２）一般カード４４の書換発行
一般カード４４を所有している遊技者が計数玉数を一般カード４４に加算する場合は、図８（ａ）に示すように計数完了画面の表示状態で一般カード４４を発行装置２１に挿入する。すると、発行装置２１が一般カード４４に記録されている持玉数を読込んで島端計数装置６に通知するので、図８（ｂ）に示すように、総数と持玉数が合算された合算値、総数、持玉数が表示される。
尚、精算ボタンとしての「あまり返却」ボタン２５ｃがタッチされたときは、余り玉数を返却してから景品数に相当する持玉情報を発行装置２１に送信するので、発行装置２１からは余り玉を生じること無く特殊景品に交換可能な持玉情報が記録された一般カード４４が発行される。
【００２９】
遊技者が「全部発券」ボタン２５ａをタッチすると、図８（ｃ）に示すように持玉数を示す利用明細が表示される。このとき島端計数装置６は発行装置２１に対して持玉情報を送信するので、発行装置２１は挿入されている一般カード４４に記録されている持玉数に受信した持玉情報が示す持玉数を加算して発行する。
尚、一般カード４４は計数前、計数中、計数後の任意のタイミングで挿入可能であるが、状態ＬＥＤ３９により挿入可能であること（一般カード４４が挿入されていないこと）が報知されている必要がある。また、表示される内容や精算ボタンは設定や計数状況によって変更される。
【００３０】
（３）一般カード４４の書換回収
一般カード４４に加えて会員カード２９を所有している会員遊技者が計数玉数及び一般カード４４に記録されている持玉を会員カード２９にまとめて貯玉したい場合は、計数完了画面の表示状態で発行装置２１に一般カード４４を挿入する。すると、図９（ａ）に示すように、一般カード４４に記録されている持玉数との合算値、持玉数、景品数、余り玉数が表示される。
【００３１】
次に島端計数装置６に会員カード２９を挿入すると、図９（ｂ）に示すように「全部発券」ボタン２５ａに代えて「全部貯玉」ボタン２５ｄが表示されると共に「あまり返却」ボタン２５ｃに代えて「あまり返却」ボタン２５ｅが表示され、さらに「カード返却」ボタン２５ｆが表示される。会員遊技者が「全部貯玉」ボタン２５ｄをタッチすると、図９（ｃ）に示すように、貯玉預入数及び貯玉口座残高を示す利用明細が表示される。このとき、発行装置２１に挿入されている一般カード４４に記録されている持玉数は会員カード２９に移行・加算されたことからゼロとなるので、一般カード４４は回収部４３に回収されると共に会員カード２９は返却される。
【００３２】
尚、「あまり返却」ボタン２５ｃがタッチされた場合は、余り玉数を返却してから景品数に相当する玉数（図９の例では２８４０個）が貯玉される。
また、図９では一般カード４４に入金残高が記録されていない場合を示したが、一般カード４４に入金残高が記録されている場合は、入金残高が会員カード２９にまとめられて記録される。
【００３３】
（４）一般カード不足表示
発行装置２１のストック部４２に収納されている一般カード４４の枚数が少なくなってきた場合（約５枚）は、そのことを表示する。
図１０は一般カード４４が不足したことを示す待機画面を示している。待機画面には、係員を呼ぶことを促すメッセージ２５ｇと、「係員を呼ぶ」ボタン２５ｈと、「セルフ貯玉」ボタン２５ｉと、「タバコ計数」ボタン２５ｊが表示され、さらに一般カード４４の補充を促すメッセージ２５ｋが表示される。
従業員は、メッセージを確認した場合は、発行装置２１のカバー３６を開放してストック部４２に一般カード４４を適量となるように補充する。
【００３４】
（５）一般カード満杯表示
ストック部４２に収納されている一般カード４４の枚数が満杯（約９０枚）近くなってきた場合は、そのことを表示する。
図１１は一般カード４４が満杯近くなったことを示す待機画面を示しており、一般カード４４の回収を促すメッセージ２５ｌが表示される。
従業員は、メッセージを確認した場合は、発行装置２１のカバー３６を開放してストック部４２に収納されている一般カード４４が適量となるように回収する。
【００３５】
（６）エラー表示
発行装置２１は、ストック部４２からリーダライタ４６に繰出した一般カード４４に入金残高或いは持玉数が記録されているかを判定しており、ストック部４２に誤って入金残高或いは持玉が残っている一般カード４４が収納され、その一般カード４４がリーダライタ４６に繰出された場合にはエラーとし、エラー情報を島端計数装置６へ送信する。島端計数装置６の液晶表示部２５にはエラー情報を示すエラー画面が表示される。
【００３６】
図１２はエラー画面を示している。エラー画面にはエラーが発生したことを示すメッセージ２５ｍが表示される。
従業員は、エラー画面が表示された場合は、発行装置２１のカバー３６を開放しリーダライタ４６に繰出された一般カード４４を手作業で回収してからカバー３６を閉鎖する。そして、回収した一般カード４４に入金残高或いは持玉が記録されていないかを検査し、一般カード４４に入金残高或いは持玉が記録されていた場合は、それらの情報を消去して新たな一般カード４４として使用する。この場合、一般カード４４は当日のみ有効であるから、一般カード４４に記録されている情報を営業終了後に消去するにしても問題を生じることはない。
【００３７】
このような実施形態によれば、次のような効果を奏することができる。
島端計数装置６は、発行装置２１のリーダライタ４６に繰出された一般カード４４に入金残高或いは持玉が記録されている場合はエラー画面を表示することにより異常を報知するので、入金残高或いは持玉が記録されている一般カード４４に計数情報を誤って記録し発行してしまうことを未然に防止することができる。
尚、エラー画面では、リーダライタ４４に繰出された一般カード４４に入金残高或いは持玉が記録されている旨を示すメッセージを一緒に表示するようにしてもよい。
【００３８】
（その他の実施形態）
本発明は、上記実施形態に限定されることなく、次のように変形または拡張したり、各変形例を上記実施形態と組合せたり、各変形例を組合せるようにしてもよい。
発行装置２１でエラーが発生した場合には従業員がカバー３６を開放して手作業で一般カード４４を回収するようにしたが、従業員が例えばリモコンを操作（請求項２の解除操作に相当）してエラーの解除指令を発行装置２１へ送信し、エラーとなった一般カード４４の排出処理、及び次の一般カード４４の繰出・発行処理を発行装置２１に実行させるようにしてもよい。この場合、従業員は発行装置２１のカバー３６を一々開放して一般カード４４を回収する必要が無いので、利便性に優れている。
島端計数装置６は、一つの遊技機島に対して１台又は２台程度設置するのが望ましい。
記録媒体の形状はカード状に限らず、例えばコイン状であってもよい。
【符号の説明】
【００３９】
図面中、２は遊技機、３は貸出装置、６は島端計数装置（遊技媒体計数装置）、１０は景品交換装置、１１は精算装置、２１は発行装置（記録媒体発行装置）、３８はカード投入口（投入口）、４２はストック部、４４は一般カード（記録媒体）である。
【図１】
2015154899.tif 000003
【図２】
2015154899.tif 000004
【図３】
2015154899.tif 000005
【図４】
2015154899.tif 000006
【図５】
2015154899.tif 000007
【図６】
2015154899.tif 000008
【図７】
2015154899.tif 000009
【図８】
2015154899.tif 000010
【図９】
2015154899.tif 000011
【図１０】
2015154899.tif 000012
【図１１】
2015154899.tif 000013
【図１２】
2015154899.tif 000014